(57)【特許請求の範囲】
【請求項１】
ディジタル放送を受信する移動体放送受信端末であって、
ディジタル放送が含まれる信号からＴＳ（Transport Stream）パケットを復元するＴＳ処理手段と、
映像または音声を示す信号を含むＴＳパケットから、映像または音声を示す信号を復元する映像音声デコーダと、
データ放送に含まれるコンテンツを含むＴＳパケットから、当該コンテンツを復元するデータ放送デコーダと、
前記映像音声デコーダによって復元された映像、および、前記データ放送デコーダによって復元されたコンテンツを表示装置に表示する表示手段と、
ディジタル放送信号から緊急警報を示す信号を検出する緊急警報検出手段と
を備え、
前記データ放送のコンテンツを含むＴＳパケットは、当該コンテンツに含まれるデータのまとまり毎に、セクションデータを有し、
前記データ放送デコーダは、前記緊急警報検出手段によって緊急警報が検出された場合に、前記ＴＳ処理手段によってセクションデータが１つ復元される毎に、復元されたセクションデータから先にデコードすることにより、当該セクションデータに対応するコンテンツの一部を復元し、
前記表示手段は、
前記緊急警報検出手段によって緊急警報が検出され、かつ、現在データ放送に含まれるコンテンツが表示装置に表示されていない場合に、前記データ放送デコーダによって復元されたコンテンツの一部から順次表示装置に表示することを特徴とする移動体放送受信端末。
【請求項２】
請求項１に記載の移動体放送受信端末であって、
前記表示手段は、
前記緊急警報検出手段によって緊急警報が検出され、かつ、現在データ放送に含まれるコンテンツが表示装置に表示されていない場合に、画面分割により、前記データ放送デコーダによって復元されたコンテンツと、現在表示されている映像とを表示装置に表示することを特徴とする移動体放送受信端末。
【請求項３】
請求項１または２に記載の移動体放送受信端末であって、
前記データ放送デコーダは、
１つのセグメントを用いる放送方式により送信されるＴＳパケットから、当該ＴＳパケットに含まれるデータ放送のコンテンツを復元することを特徴とする移動体放送受信端末。
【発明の詳細な説明】
【技術分野】
【０００１】
本発明は、ディジタル放送を受信する移動体放送受信端末に関する。
【背景技術】
【０００２】
特許文献１には、緊急警報を受信した場合に、緊急情報を番組中で放送している放送局からの放送を受信して再生する緊急放送システムが開示されている。当該特許文献１では、放送の方式としてアナログ放送を想定している。アナログ放送において、緊急情報は、放送番組内の映像または音声として通知される。そのため、緊急警報を検出した場合に、受信機は、予め設定されている緊急放送を通知する番組を自動的に選局して当該番組を表示することにより、緊急情報をユーザに伝える。
【０００３】
【特許文献１】特開２００５−１９２０６４号公報
【発明の開示】
【発明が解決しようとする課題】
【０００４】
ところで、近年開始されたディジタル放送には、映像や音声以外に、データやプログラム等を配信するデータ放送がある。データ放送では、緊急時に有用な情報がいちはやく配信されると考えられる。そのため、緊急警報が発令された場合には、データ放送を表示することが好ましい。
【０００５】
本発明は上記事情を鑑みてなされたものであり、本発明の目的は、緊急警報を検出した場合に、緊急情報をより迅速にユーザに通知することにある。
【課題を解決するための手段】
【０００６】
上記課題を解決するために、本発明の移動体放送受信端末は、緊急警報を示す信号が送信された場合に、データ放送を端末の画面に表示する。
【０００７】
例えば、本発明は、ディジタル放送を受信する移動体放送受信端末であって、
ディジタル放送が含まれる信号からＴＳ（Transport Stream）パケットを復元するＴＳ処理手段と、
映像または音声を示す信号を含むＴＳパケットから、映像または音声を示す信号を復元する映像音声デコーダと、
データ放送に含まれるコンテンツを含むＴＳパケットから、当該コンテンツを復元するデータ放送デコーダと、
前記映像音声デコーダによって復元された映像、および、前記データ放送デコーダによって復元されたコンテンツを表示装置に表示する表示手段と、
ディジタル放送信号から緊急警報を示す信号を検出する緊急警報検出手段と
を備え、
前記データ放送のコンテンツを含むＴＳパケットは、当該コンテンツに含まれるデータのまとまり毎に、セクションデータを有し、
前記データ放送デコーダは、前記緊急警報検出手段によって緊急警報が検出された場合に、前記ＴＳ処理手段によってセクションデータが１つ復元される毎に、復元されたセクションデータから先にデコードすることにより、当該セクションデータに対応するコンテンツの一部を復元し、
前記表示手段は、
前記緊急警報検出手段によって緊急警報が検出され、かつ、現在データ放送に含まれるコンテンツが表示装置に表示されていない場合に、前記データ放送デコーダによって復元されたコンテンツの一部から順次表示装置に表示することを特徴とする移動体放送受信端末を提供する。
【発明の効果】
【０００８】
本発明の移動体放送受信端末によれば、緊急警報が発令された場合に、緊急情報をより迅速にユーザに通知することができる。
【発明を実施するための最良の形態】
【０００９】
以下、本発明の実施の形態について説明する。
【００１０】
図１は、本発明の一実施形態に係る移動体放送受信端末１０を示すシステム構成図である。移動体放送受信端末１０は、アンテナ１１、表示装置１２、スピーカ１３、入力装置１４、およびＩＲＤ（Integrated Receiver and Decoder）２０を備える。ＩＲＤ２０は、チューナ部２１、ＴＳ処理部２２、デスクランブル部２３、制御部２４、映像・音声デコーダ２５、データ放送デコーダ２６、および出力制御部２７を有する。
【００１１】
チューナ部２１は、アンテナ１１を介して受信したディジタル放送電波を復調し、復調結果をＴＳ処理部２２および制御部２４へ出力する。チューナ部２１は、例えば図２に示すように、ＲＦモジュール２１０および復調合成部２１２を有する。ＲＦモジュール２１０は、複数のアンテナ１１のそれぞれに１つずつ設けられる複数の受信モジュール２１１を有し、各受信モジュール２１１は、それぞれ受信したＲＦ信号を復調合成部２１２へ出力する。
【００１２】
復調合成部２１２は、それぞれの受信モジュール２１１から入力されたＲＦ信号のレベルに応じて、最大比合成法により最良の信号状態を確保した後に復調を行い、復調結果をＴＳ処理部２２および制御部２４へ出力する。なお、本実施形態において、チューナ部２１は、最大比合成ダイバシティ受信方式を用いて受信信号を復調するが、他の形態として、チューナ部２１は、選択ダイバシティ受信方式を用いて受信信号を復調するものであってもよい。
【００１３】
ＴＳ処理部２２は、デインタリーブおよび誤り検出・訂正等の処理を行って、ＴＳ（Transport Stream）パケットを復元する。そして、ＴＳ処理部２２は、復元したＴＳパケットのＰＩＤ（Program ID）を参照して、映像または音声を含むＴＳパケットを映像・音声デコーダ２５へ、データ放送のデータを含むＴＳパケットをデータ放送デコーダ２６へ、ＰＭＴ（Program Map Table）等の制御情報を含むＴＳパケットを制御部２４へ送る。
【００１４】
デスクランブル部２３は、ＴＳ処理部２２による処理の過程でデータのスクランブルを解除する処理を行う。映像・音声デコーダ２５は、ＴＳ処理部２２から送られたＴＳパケットをデコードして、映像または音声のデータを出力制御部２７へ出力する。データ放送デコーダ２６は、ＴＳ処理部２２から送られたＴＳパケットをデコードして、データ放送のコンテンツのデータを出力制御部２７に出力する。
【００１５】
ここで、データ放送によって送信される緊急情報のコンテンツについて説明する。本実施形態において送信される緊急情報のコンテンツは、例えば図３に示すように、トップページ３０に、緊急情報である旨や避難すべ旨を示すテキスト３００、避難すべき地域の一覧を示すページへリンクしているリンクボタン３０１、およびそれぞれの避難対象エリアの詳細な情報を示すリンクボタン３０２〜３０４等を表示する。リンクボタン３０２〜３０４のいずれかが選択されると、例えば図４に示すように、選択されたエリアの詳細な避難情報が表示される。
【００１６】
このような緊急情報のコンテンツ４０は、例えば図５に示すように、トップページのデータ４１、リンクボタン３０１が選択されたときに表示されるページのデータ４２、リンクボタン３０２が選択されたときに表示されるページのデータ４３等で構成される。４４は、他のコンテンツである。
【００１７】
本実施形態において、図５に示すような、１つのコンテンツ中にあるそれぞれのデータは、１画面に表示される情報のまとまりであり、１つのセクションデータとしてＴＳパケットに含まれる。データ放送デコーダ２６は、ＴＳパケット中のバウンダリを検出することにより、それぞれのセクションデータの境界を認識し、それぞれのセクションデータを取得してデコードする。
【００１８】
緊急警報が発令されていない通常の状況では、データ放送デコーダ２６は、１つのコンテンツに含まれる全てのデータ（トップページのデータだけでなく、トップページからリンクされている全ての他のページのデータ）のＴＳパケットがＴＳ処理部２２によって復元されてから、当該コンテンツのデコードを開始する。これにより、出力制御部２７は、リンクボタンのリンク先のデータもデコードされた１つのコンテンツの形で、コンテンツを表示装置１２に表示することができる。
【００１９】
一方、制御部２４から緊急情報が発令されている旨を通知された場合、データ放送デコーダ２６は、コンテンツ中のトップページのデータを含むＴＳパケットが復元された段階で、トップページのデータのデコードを開始する。そして、コンテンツを構成する他のデータを含むＴＳパケットがＴＳ処理部２２によって復元される都度、当該ＴＳパケットを順次デコードする。出力制御部２７は、リンク先のデータがない状態でトップページを表示装置１２に表示することになる。
【００２０】
これにより、緊急警報が発令されている状況では、完全なコンテンツではないものの、緊急情報が含まれるコンテンツの一部（トップページ）を迅速に表示することができる。この場合、コンテンツのトップページに、緊急である旨を示す情報や注意を喚起する情報を表示するようにすることにより、災害発生時のユーザのファーストアクションをより早く開始させることができる。なお、コンテンツデータとして最初に送信されるデータは、必ずしもトップページである必要はなく、緊急情報を示すテキスト、フォント種別、フォントサイズ、表示色等の情報のみであってもよい。
【００２１】
また、本実施形態において、映像・音声デコーダ２５は、１２個のセグメントを使って送信される映像または音声のデータをデコードし、データ放送デコーダ２６は、１個のセグメントを使って送信されるデータ放送のデータをデコードする。これにより、移動体放送受信端末１０は、緊急情報を示すデータ放送を、１２個のセグメントを使って送信されるデータ放送よりも確実に受信することができる。
【００２２】
出力制御部２７は、映像・音声デコーダ２５によってデコードされた音声をスピーカ１３へ出力する。また、出力制御部２７は、映像・音声デコーダ２５によってデコードされた映像と、データ放送デコーダ２６によってデコードされたコンテンツとを、制御部２４からの指示に応じて、表示装置１２に表示する。制御部２４からの指示とは、例えば画面の全面に映像またはコンテンツのいずれかを表示する、画面を分割して、一方に映像を、他方にコンテンツを表示する等である。
【００２３】
制御部２４は、チューナ部２１によって復調されたデータからＴＭＣＣ(Transmission and Multiplexing Configuration and Control)信号を抽出する。ここで、ＴＭＣＣとは、日本国内の電波産業会（ＡＲＩＢ）が策定する規格により定義された２０４ビットの情報であり、図６に示すようなデータ構造を有している。ＴＭＣＣ信号中のＢ２６には、緊急警報放送用フラグが定義されており、このフラグの値が１である場合には、緊急警報が発令されていることを示す。
【００２４】
制御部２４は、ＴＭＣＣ信号のＢ２６が１になっているか否かを監視し、１になっていることを検出した場合に、ＴＳ処理部２２から送られたＴＳパケットに含まれているＰＭＴを参照して、当該ＰＭＴにEmergency_information_descriptor()と呼ばれる記述子（以降、単にＥＩＤと呼ぶ）が存在するか否かを判定する。
【００２５】
ここで、ＥＩＤのデータ構造について説明する。ＥＩＤは、例えば図７に示すように、service_id５０、start_end_flag５１、signal_level５２、およびarea_code５３を示す情報を有する。service_id５０は、緊急警報放送を実施するサービスを示す。start_end_flag５１は、０であれば試験放送を示し、１であれば本放送であることを示す。signal_level５２は、０であれば第一種（地震警報、地方自治体長の要請等）開始信号を示し、１であれば第二種（津波警報）開始信号であることを示す。area_code５３は、緊急情報の対象となっている地域のコードを示す。
【００２６】
制御部２４は、ＴＭＣＣ信号のＢ２６が１になっており、かつ、ＰＭＴ内にＥＩＤが存在する場合に緊急警報が発令されていると判定する。緊急警報が発令されていることを検出した場合、制御部２４は、緊急情報が発令されている旨を映像・音声デコーダ２５に通知する。そして、制御部２４は、現在、表示装置１２に、データ放送デコーダ２６によってデコードされたコンテンツが表示されていない場合に、データ放送デコーダ２６によってデコードされたコンテンツを表示装置１２に表示させるよう出力制御部２７に指示する。
【００２７】
この場合、制御部２４は、表示装置１２の画面全面を、データ放送デコーダ２６によってデコードされたコンテンツに切り替えてもよく、例えば図８に示すように画面６０を分割して、一方に、データ放送デコーダ２６によってデコードされたコンテンツ６２を表示し、他方に、今まで表示していた映像６１を継続して表示するようにしてもよい。
【００２８】
また、制御部２４は、ＴＭＣＣ信号のＢ２６が０になっており、かつ、ＰＭＴ内にＥＩＤが存在しなくなった場合に、緊急情報が解除された旨をデータ放送デコーダ２６へ通知すると共に、出力制御部２７に通常の表示を指示する。
【００２９】
図９は、表示装置１２に表示されるコンテンツの遷移を示す概念図である。
【００３０】
通常放送（緊急警報が発令されていない場合の放送）で平常時コンテンツが放送されている状態では、ＴＭＣＣ中のビット２６番目（Ｂ２６）が０の値になっており、ＰＭＴには緊急警報放送記述子（ＥＩＤ）が存在しない。制御部２４は、予め設定されている表示形態に従って出力制御部２７に表示形態を指示し、表示装置１２には平常時のコンテンツが表示される。
【００３１】
この状態で緊急警報が発令されると、ＴＭＣＣ中のＢ２６の値が１となり、更にＰＭＴにはＥＩＤが記述される。制御部２４は、データ放送デコーダ２６によってデコードされたワンセグ放送によるデータ放送を表示するよう出力制御部２７に指示し、表示装置１２には緊急情報コンテンツが、画面分割等により表示される。
【００３２】
緊急警報が解除されると、ＴＭＣＣ中のＢ２６が０の値となり、ＥＩＤを含まないＰＭＴが放送局から送信される。制御部２４は、予め設定されている表示形態に従って出力制御部２７に表示形態を指示し、表示装置１２には平常時のコンテンツが表示される。
【００３３】
なお、ＴＭＣＣ中のＢ２６の値およびＰＭＴ内のＥＩＤの有無のいずれか一方のみが、緊急情報が発令されていることを示す場合、制御部２４は、ＴＭＣＣ中のＢ２６の値およびＰＭＴ内のＥＩＤの有無の両方が緊急情報が発令されていることを示す状態になるまで、現在表示しているコンテンツの表示を継続する。
【００３４】
図１０は、移動体放送受信端末１０の動作の一例を示すフローチャートである。例えば電源を投入される等の所定のタイミングで、移動体放送受信端末１０は、本フローチャートに示す動作を開始する。
【００３５】
まず、制御部２４は、緊急警報が発令されているか否かを判定する（Ｓ１００）。具体的には、制御部２４は、チューナ部２１によって復調されたデータに含まれるＴＭＣＣ信号中のＢ２６が１であり、かつ、ＴＳ処理部２２によって復元されたＴＳパケットに含まれるＰＭＴ内にＥＩＤが存在するか否かを判定する。
【００３６】
緊急情報が発令されていない場合、すなわち、ＴＭＣＣ信号中のＢ２６が０であり、かつ、ＰＭＴ内にＥＩＤが存在しない場合（Ｓ１００：Ｎｏ）、移動体放送受信端末１０は、ユーザによって指定されたディジタル放送を出力する通常の受信動作を実行し（Ｓ１０８）、制御部２４は、再びステップＳ１００に示した処理を実行する。
【００３７】
緊急情報が発令されている場合、すなわち、ＴＭＣＣ信号中のＢ２６が１であり、かつ、ＰＭＴ内にＥＩＤが存在する場合（Ｓ１００：Ｙｅｓ）、制御部２４は、データ放送デコーダ２６に緊急情報が発令されている旨を通知すると共に、現在、表示装置１２に、データ放送デコーダ２６によってデコードされたコンテンツが表示されていない場合に、データ放送デコーダ２６によってデコードされたコンテンツを表示装置１２に表示させるよう出力制御部２７に指示する。
【００３８】
次に、データ放送デコーダ２６は、ＴＳ処理部２２によって復元されたＴＳパケットを参照して、緊急情報コンテンツの最初のセクションデータの受信が完了したか否かを判定する（Ｓ１０１）。緊急情報コンテンツの最初のセクションデータの受信が完了した場合（Ｓ１０１：Ｙｅｓ）、データ放送デコーダ２６は、当該セクションデータをデコードして緊急情報コンテンツの一部のデータを出力制御部２７に出力する（Ｓ１０２）。出力制御部２７は、データ放送デコーダ２６によってデコードされた緊急情報コンテンツの一部を表示装置１２に表示する（Ｓ１０３）。
【００３９】
次に、データ放送デコーダ２６は、ＴＳ処理部２２によって復元されたＴＳパケットを参照して、次のセクションデータの受信が完了したか否かを判定する（Ｓ１０４）。次のセクションデータの受信が完了した場合（Ｓ１０４：Ｙｅｓ）、データ放送デコーダ２６は、当該セクションデータをデコードして緊急情報コンテンツの一部のデータを出力制御部２７に出力する（Ｓ１０５）。出力制御部２７は、ユーザからの指示に応じて、当該データに対応する緊急情報コンテンツの一部を表示装置１２に表示する（Ｓ１０６）。
【００４０】
次に、データ放送デコーダ２６は、緊急情報コンテンツを構成する全てのセクションデータを受信したか否かを判定する（Ｓ１０７）。緊急情報コンテンツを構成するセクションデータの中で、未受信のセクションデータがある場合（Ｓ１０７：Ｎｏ）、データ放送デコーダ２６は、再びステップＳ１０４に示した処理を実行する。緊急情報コンテンツを構成する全てのセクションデータを受信した場合（Ｓ１０７：Ｙｅｓ）、制御部２４は、再びステップＳ１００に示した処理を実行する。
【００４１】
以上、本発明の実施の形態について説明した。
【００４２】
上記説明から明らかなように、本発明の移動体放送受信端末１０によれば、緊急警報が発令された場合に、緊急情報をより迅速にユーザに通知することができる。
【００４３】
なお、本発明は上記の実施形態に限定されるものではなく、その要旨の範囲内で数々の変形が可能である。
【００４４】
例えば、ＩＲＤ２０は、さらに、１個のセグメントを使って送信される映像または音声のデータをデコードする映像・音声デコーダと、１２個のセグメントを使って送信されるデータ放送のデータをデコードするデータ放送デコーダとを有し、受信信号品質が良好な場合には、１２個のセグメントを使って送信されるデータをデコードする映像・音声デコーダおよびデータ放送デコーダを使用し、受信信号品質が悪い場合には、１個のセグメントを使って送信されるデータをデコードする映像・音声デコーダおよびデータ放送デコーダを使用するように構成してもよい。
【００４５】
しかし、この場合であっても、緊急警報が発令されている状況では、１個のセグメントを使って送信されるデータ放送をデコードするデータ放送デコーダが、緊急情報コンテンツの最初のセクションデータから順次デコードし、制御部２４が、１個のセグメントを使って送信されるデータ放送によって配信される緊急情報のコンテンツを表示装置１２に表示するよう出力制御部２７に指示する。
【００４６】
以上、本発明を実施の形態を用いて説明したが、本発明の技術的範囲は上記した実施の形態に記載の範囲には限定されない。また、上記した実施の形態に、多様な変更または改良を加えることが可能であることが当業者にとって明らかである。さらに、そのような変更または改良を加えた形態も本発明の技術的範囲に含まれ得ることが、特許請求の範囲の記載から明らかである。
【図面の簡単な説明】
【００４７】
【図１】本発明の一実施形態に係る移動体放送受信端末１０を示すシステム構成図である。
【図２】チューナ部２１の詳細な構成の一例を示すブロック図である。
【図３】緊急情報を示すコンテンツのトップページ３０の一例を示す図である。
【図４】エリア情報の一例を示す図である。
【図５】コンテンツのデータ構造の一例を示す概念図である。
【図６】ＴＭＣＣ信号の構成を説明するための概念図である。
【図７】Emergency_information_descriptorのデータ構造を説明するための概念図である。
【図８】緊急情報の表示方法の一例を示す概念図である。
【図９】表示されるコンテンツの遷移を説明するための概念図である。
【図１０】移動体放送受信端末１０の動作の一例を示すフローチャートである。
【符号の説明】
【００４８】
１０・・・移動体放送受信端末、１１・・・アンテナ、１２・・・表示装置、１３・・・スピーカ、１４・・・入力装置、２０・・・ＩＲＤ、２１・・・チューナ部、２１０・・・ＲＦモジュール、２１１・・・受信モジュール、２１２・・・復調合成部、２２・・・ＴＳ処理部、２３・・・デスクランブル部、２４・・・制御部、２５・・・映像・音声デコーダ、２６・・・データ放送デコーダ、２７・・・出力制御部、３０・・・トップページ、３００・・・テキスト、３０１・・・リンクボタン、３０２・・・リンクボタン、３０３・・・リンクボタン、３０４・・・リンクボタン、４０・・・コンテンツ、４１・・・データ、４２・・・データ、４３・・・データ、４４・・・データ、５０・・・service_id、５１・・・start_end_flag、５２・・・signal_level、５３・・・area_code、６０・・・画面、６１・・・映像、６２・・・コンテンツ
【図１】
0005165305.tif 000002
【図２】
0005165305.tif 000003
【図３】
0005165305.tif 000004
【図４】
0005165305.tif 000005
【図５】
0005165305.tif 000006
【図６】
0005165305.tif 000007
【図７】
0005165305.tif 000008
【図８】
0005165305.tif 000009
【図９】
0005165305.tif 000010
【図１０】
0005165305.tif 000011